(57)【特許請求の範囲】
【請求項１】
ケース本体とカバーの両部材の間に遊技機の制御基板を収納し、前記両部材を封止状態にする封止機構を備える遊技機用基板ケースであって、
前記両部材の一端部のそれぞれに挿入孔が形成され、
前記両部材の他端部に係止機構が設けられ、
前記封止機構は、前記両部材の前記各挿入孔に挿入される帯体と、その帯体の端部が差し込まれかつ差し込まれた該帯体を抜け方向に移動不能に保持する保持部材とを複数有し、
前記複数の帯体は、前記保持部材に差し込まれて常にリング状であり、前記各帯体は、前記両部材の前記一端部を回動可能に連結しかつ前記両部材の相対移動により前記係止機構を解除し得るリング径を有する初期状態と、前記保持部材に対してさらに差し込まれて前記リング径が小さくなり前記両部材を相対移動させて前記両部材の間に設けられた前記係止機構によって前記両部材を係止させて封止状態を保持する状態とを構成する構造にもなっていることを特徴とする遊技機用基板ケース。
【請求項２】
請求項１に記載の遊技機用基板ケースであって、
保持部材には、帯体の抜けを防止する抜止爪が設けられ、
前記保持部材は、ケース本体の内周面に形成された凹部に収納されることを特徴とする遊技機用基板ケース。
【請求項３】
請求項１または２に記載の遊技機用基板ケースであって、
係止機構は、ケース本体とカバーの両部材のいずれか一方の部材に設けられる係止爪部と、他方の部材に設けられる係止受部を有し、前記カバーが前記ケース本体に対して閉じた状態でスライドすることで、前記係止爪部が前記係止受部に係止する構造になっていることを特徴とする遊技機用基板ケース。
【発明の詳細な説明】
【技術分野】
【０００１】
本発明は、パチンコ機やスロットマシンなどの遊技機を制御する制御基板を収容する基板ケースに関する。詳しくは、基板ケースの不正開放を防止する封止機構を有し、その封止機構によって制御基板の不正交換を防止する基板ケースに関する。
【背景技術】
【０００２】
従来、ケース本体とカバーの両部材の間に遊技機の制御基板を収納し、両部材を封止状態にする封止機構を備える遊技機用基板ケースが知られている（特許文献１参照）。例えば、カバーとケース本体が一端側で回動可能に連結され、他端側に封止機構が設けられる。封止機構は、カバー側に設けられる帯体と、ケース本体側に設けられる保持部材を有しており、帯体が保持部材に差し込まれ、帯体が保持部材によって抜け方向に移動不能に保持される。したがって帯体を保持部材に差し込むことで基板ケースが封止状態になる。そして、帯体を切断することで基板ケースを開封状態にできる。したがって開封した回数を切断した帯体の数等によって確認することができる。
【特許文献１】特開２００１−８７５２０号公報
【発明の開示】
【発明が解決しようとする課題】
【０００３】
しかし帯体は、封止機構の一部のみとして機能を有するものであった。そこで本発明は、封止機構の帯体に他の機能を持たせた遊技機用基板ケースを提供することを課題とする。
【課題を解決するための手段】
【０００４】
前記課題を解決するために本発明は、各請求項に記載の通りの構成を備える遊技機用基板ケースであることを特徴とする。請求項１に記載の発明によると、封止機構は、帯体と、その帯体が差し込まれかつ差し込まれた該帯体を抜け方向に移動不能に保持する保持部材とを複数有している。そして帯体は、保持部材に差し込まれかつ両部材を回動可能に連結する構造であり、かつ保持部材に対してさらに差し込まれることで、両部材を相対移動させ、両部材の間に設けられた係止機構によって両部材を係止させて封止状態を保持する構造にもなっている。
【０００５】
したがって帯体は、両部材を回動可能に連結するヒンジ機能と、両部材を封止状態にする封止機能の二つの機能を備える。かくして部品の共通化を図って、基板ケースを簡易な構造等にすることができる。
【０００６】
請求項２に記載の発明によると、保持部材には、帯体の抜けを防止する抜止爪が設けられる。保持部材は、ケース本体の内周面に形成された凹部に収納される。
【０００７】
請求項３に記載の発明によると、係止機構は、ケース本体とカバーの両部材のいずれか一方の部材に設けられる係止爪部と、他方の部材に設けられる係止受部を有している。そしてカバーがケース本体に対して閉じた状態でスライドすることで、係止爪部が係止受部に係止する構造になっている。したがって係止機構は、カバーをケース本体に対してスライドさせることで係止し、これにより基板ケースを封止状態にできる。
【発明を実施するための最良の形態】
【０００８】
本発明の実施の形態を図１〜７にしたがって説明する。本形態に係る遊技機１０は、パチンコ機であって、矩形枠状の外枠１１と、外枠１１に回動可能に取付けられる前枠１２を有している。前枠１２には、遊技盤１３や球タンクなどが取付けられる。遊技盤１３の背面には、図１に示すように基板（制御基板１４など）や電気配線などが取付けられる。
【０００９】
制御基板１４は、遊技機１０の制御を司る基板であって、基板ケース１内に収納される。基板ケース１は、図２，３に示すように透明な樹脂製のケース本体２とカバー３を有している。ケース本体２とカバー３の間には、封止機構を構成する結束バンド４が取付けられる。ケース本体２とカバー３には、結束バンド４の帯体４ａが挿通される挿通孔２ｃ，３ｃが複数形成されている。挿通孔２ｃは、ケース本体２の一端壁を貫通している。挿通孔３ｃは、カバー３を厚み方向に貫通している。
【００１０】
ケース本体２とカバー３の間には、図２，３に示すようにカバー３をケース本体２に対しスライドさせることで係止する係止機構１ａ，１ｂが設けられている。係止機構１ａは、ケース本体２の内側面に形成された一対の係止受部２ａと、カバー３の側部に形成された一対の係止爪部３ａを有している。係止機構１ｂは、ケース本体２の一端面から凸状に形成された一対の係止爪部２ｂと、カバー３の一端面に開口窓状に形成された一対の係止受部３ｂを有している。
【００１１】
結束バンド４は、図２，３に示すように帯体４ａと保持部材４ｂをそれぞれ複数（例えば四つ）有している。帯体４ａは、それぞれ第一抜止爪４ｃと第二抜止爪４ｄと係止爪４ｅを有している。第一抜止爪４ｃは、保持部材４ｂの近傍における帯体４ａの表面に形成されている。第二抜止爪４ｄは、長手略中央位置における帯体４ａの裏面に形成されている。係止爪４ｅは、帯体４ａの裏面に鋸刃状に複数形成されている。
【００１２】
保持部材４ｂは、図２，３に示すように帯体４ａの端部に一体に形成されている。保持部材４ｂは、帯体４ａが差し込まれる貫通孔４ｂ１と、抜止爪４ｂ２を有している。抜止爪４ｂ２は、貫通孔４ｂ１に差し込まれた帯体４ａの係止爪４ｅと協働して帯体４ａが保持部材４ｂから抜けることを防止する。したがって帯体４ａは、保持部材４ｂに抜止めされた状態で保持される。複数の保持部材４ｂは、並設された状態で連結されている。
【００１３】
結束バンド４をケース本体２等に組み付ける場合は、先ず、図３，４に示すように帯体４ａを挿通孔２ｃに挿通する。挿通孔２ｃに帯体４ａを最大量差し込むと、第一抜止爪４ｃが挿通孔２ｃを貫通する。そして保持部材４ｂは、図３（Ｂ）に示すようにケース本体２の内壁に形成された凹部２ｄに内設される。次に、帯体４ａを屈曲させて、帯体４ａの端部４ａ１をカバー３の挿通孔３ｃに挿通する。続いて、端部４ａ１を保持部材４ｂの貫通孔４ｂ１と、ケース本体２の挿通孔２ｃに挿通する。
【００１４】
これにより帯体４ａは、図４，５に示すようにリング状になり、ケース本体２とカバー３を回動可能に連結する。なお、この時の帯体４ａの保持部材４ｂへの挿通量は、余裕を有した量とされる（ヒンジ位置）。このためカバー３は、ケース本体２に対してスライド可能な状態で連結される。
【００１５】
また帯体４ａは、図４に示すように端部４ａ１が基端部ととともにケース本体２の挿通孔２ｃに挿入される。これにより帯体４ａは、挿通孔２ｃ内にて厚み方向にほとんど移動できなくなり、第一抜止爪４ｃが挿通孔２ｃから抜けなくなる。したがって帯体４ａは、挿通孔２ｃに対してスライド不能にケース本体２に取付けられる。また帯体４ａの端部４ａ１は、挿通孔２ｃを貫通して外部に突出しており、引っ張り可能な状態にされる。
【００１６】
基板ケース１を封止状態にする場合は、図５に示すように帯体４ａの端部４ａ１の一つを引っ張る。これにより帯体４ａは、保持部材４ｂに対してさらに差し込まれて、リング径が小さくなる（封止位置）。これによりカバー３が帯体４ａによってケース本体２に対してスライドする。そして係止爪部２ｂ，３ａが係止受部２ａ，３ｂに係合し、係止機構１ａ，１ｂが係止状態になる。そして帯体４ａによってカバー３がケース本体２に対してスライド不能になり、基板ケース１が封止状態になる。
【００１７】
基板ケース１を封止状態から開封状態にする場合は、図６および図７（Ａ）に示すように帯体４ａをニッパ等によって切断する。次に、カバー３をケース本体２に対してスライドさせ、係止機構１ａ，１ｂを係止解除した状態にする。その結果、カバー３がケース本体２に対して回動可能になり、基板ケース１が開封状態になる。
【００１８】
続いて基板ケース１を封止状態にする場合は、カバー３をケース本体２に対して閉じる。そして図７（Ｂ）に示すように残りの帯体４ａの端部４ａ１の一つを引っ張る。これによりカバー３が帯体４ａによってケース本体２に対してスライドし、係止機構１ａ，１ｂが係止状態になる。かくして基板ケース１が封止状態になる。続いて開封状態にする場合は、その帯体４ａを切断し、カバー３をケース本体２に対してスライドさせる。同様の方法によって、基板ケース１を複数回、封止状態と開封状態にすることができる。
【００１９】
開封する際の帯体４ａの切断位置は、第一抜止爪４ｃと第二抜止爪４ｄの間である（図６，７参照）。したがって帯体４ａの端部４ａ１を引っ張ると、第二抜止爪４ｄが保持部材４ｂに当る。そのため第二抜止爪４ｄによって端部４ａ１がケース本体２側から引き抜かれることが防止される。そして端部４ａ１が挿通孔２ｃから抜けないために、第一抜止爪４ｃが挿通孔２ｃに抜けることも防止され得る。かくして帯体４ａは、切断しても第一抜止爪４ｃと第二抜止爪４ｄと係止爪４ｅによってケース本体２から抜けることが防止される。その結果、基板ケース１を開封した痕跡を切断した帯体４ａによって留めることができる。
【００２０】
以上のように、封止機構は、図４に示すように帯体４ａと保持部材４ｂを複数有している。そして帯体４ａは、保持部材４ｂに差し込まれかつケース本体２とカバー３の両部材を回動可能に連結する構造であり、かつ保持部材４ｂに対してさらに差し込まれることで、両部材を相対移動させ、両部材の間に設けられた係止機構１ａ，１ｂによって両部材を係止させて封止状態を保持する構造にもなっている。
【００２１】
したがって帯体４ａは、両部材を回動可能に連結するヒンジ機能と、両部材を封止状態にする封止機能の二つの機能を備える。かくして部品の共通化を図って、基板ケース１を簡易な構造等にすることができる。
【００２２】
また図２に示すように帯体４ａと保持部材４ｂが一体に設けられている。そして帯体４ａは、ケース本体２とカバー３に挿通され、かつ保持部材４ｂに差し込まれてリング状に保持される。したがって帯体４ａは、保持部材４ｂとともにリング状になる。そのため帯体４ａおよび保持部材４ｂをケース本体２等に接続するための別部材等を必要としない。かくして簡易に帯体４ａと保持部材４ｂをケース本体２等に取付けることができる。
【００２３】
（他の実施の形態）
本発明は、上記実施の形態に限定されず、以下の形態等であっても良い。
（１）上記実施の形態は、帯体４ａと保持部材４ｂが一体に形成されていた。しかし帯体と保持部材が別体に形成され、保持部材がケース本体とカバーの一方の部材に設けられ、帯体の基端部が他方の部材に接続され、帯体の先端部が保持部材に差し込まれる形態等であっても良い。
（２）上記実施の形態は、複数の保持部材４ｂが並設された状態連結されていた。しかしこれら複数の保持部材が分離された形態等であっても良い。
【図面の簡単な説明】
【００２４】
【図１】遊技機の背面図である。
【図２】基板ケースの分解斜視図である。
【図３】組立途中における基板ケースの斜視図である。
【図４】開封状態における基板ケースの斜視図である。
【図５】開封状態から封止状態にする際における基板ケースの斜視図である。
【図６】封止状態から開封状態にする際における基板ケースの斜視図である。
【図７】開封状態（Ａ）と封止状態（Ｂ）における基板ケースの斜視図である。
【符号の説明】
【００２５】
１…基板ケース
１ａ，１ｂ…係止機構
２…ケース本体
２ａ…係止受部
２ｂ…係止爪部
２ｃ，３ｃ…挿通孔
３…カバー
３ａ…係止爪部
３ｂ…係止受部
４…結束バンド
４ａ…帯体
４ａ１…端部
４ｂ…保持部材
１０…遊技機
１４…制御基板
【図１】
0005096936.tif 000002
【図２】
0005096936.tif 000003
【図３】
0005096936.tif 000004
【図４】
0005096936.tif 000005
【図５】
0005096936.tif 000006
【図６】
0005096936.tif 000007
【図７】
0005096936.tif 000008